(57)【要約】【課題】建築構造物の一部に当接させて、組み立てられた足場パイプ全体を安定的に設置固定する単管支持金具の提供を図る。【解決手段】単管支持金具１０は、足場パイプＰを構成する単管の外筒部を狭持するクランプ爪２０の一側面に当接盤２３が装備されたＬ字型のブランク受け部２１が単管の軸方向に対して任意の角度を有して設けられて成る手段を採る。【選択図】図３
2018193728.tif 000002
【特許請求の範囲】
【請求項１】
建築構造物の一部に当接して組み立てられた足場パイプ全体を安定的に設置固定する単管支持金具であって、
前記単管支持金具は、足場パイプを構成する単管の外筒部を狭持するクランプ爪の一側面に当接盤が装備されたＬ字型のブランク受け部が単管の軸方向に対して任意の角度を有して設けられて成ることを特徴とする単管支持金具。
【請求項２】
前記ブランク受け部に螺合によって延伸するアジャストジャッキが備えられると共に、前記当接盤が該アジャストジャッキの先端に装備されて成ることを特徴とする請求項１に記載の単管支持金具。
【請求項３】
前記ブランク受け部が、前記単管支持金具のクランプ爪の一側面に回動軸支手段を介して回動可能に設けられていることを特徴とする請求項１または請求項２に記載の単管支持金具。
【請求項４】
前記ブランク受け部の角面に、補強リブが設けられていることを特徴とする請求項１から請求項３の何れかに記載の単管支持金具。
【請求項５】
前記当接盤に、先端方向へ延伸する付勢手段が設けられていることを特徴とする請求項１から請求項４の何れかに記載の単管支持金具。
【請求項６】
前記当接盤が、ユニバーサルジョイントを介して装備されていることを特徴とする請求項１から請求項５の何れかに記載の単管支持金具。
【発明の詳細な説明】
【技術分野】
【０００１】
本発明は、単管支持金具に関し、詳しくは、建築構造物の一部に当接することで、組み立てられた足場パイプ全体を安定的に設置固定するための単管支持金具に関するものである。
【背景技術】
【０００２】
従来より提供されている単管支持金具の構造は、単管同士を二つのクランプ部によって連結固定する構造のものや、クランプ部にブランク部を設け、そのブランク部に垂木などの建築構造物を連結固定する構造のもの、さらに、クランプ部にアジャスタなどの狭持手段を備えて建築構造物の一部に連結固定する構造のものなどが存在する。
【０００３】
上記における連結固定する構造を有する具体的な単管支持金具の提案としては、例えば、単管パイプを用いて勾配のある仮設屋根を安定した状態に組み立てることができる「自在クランプ」（特許文献１）が提案され、公知技術となっている。具体的には、固定片と該固定片の端部に開閉自在に軸着した保持片との間に単管パイプを保持する保持部を有するクランプ本体を、折り曲げ自在な連結部を介して２つ連結して構成される自在クランプであって、前記連結部は、コ字状に折曲された板材の取付部を前記固定片に第１ボルトで取り付けてナット止めすると共に、それぞれの板材の連結片同士を重畳し、該重畳した連結片同士の間に渡って第２ボルトを貫通してナット止めしてなる提案である。
【０００４】
しかしながら、かかる「自在クランプ」の提案は、単に足場内における単管同士を連結固定する手段を備えているに過ぎないもので、単管の組み合わせによって構成される足場パイプ全体を安定的に設置固定する手段を備える自在クランプではなかった。
【０００５】
また、施工場所の基礎面に捨てパイプを埋め込む必要をなくして施工を容易とするとともに、仮囲いの基礎となる縦方向のパイプを確実かつ強固に固定することができる「パイプ支持具およびこれを用いたパイプ支持装置」（特許文献２）が提案され、公知技術となっている。
【０００６】
しかしながら、かかる「パイプ支持具およびこれを用いたパイプ支持装置」の提案は、例えば、Ｈ型鋼などの施工場所の基礎面に設置する基台に着脱可能とするクランプ部を備える構造を有して、足場等の単管を確実に連結固定するもので、該連結固定される構造物が、Ｈ型鋼などの特殊加工された構造物に限定されると共に、連結固定する手段を実施するためにＨ型鋼などの構造物を機械加工しなければならないことに加え、現場での連結固定される箇所が限定されるといった問題があるものだった。
【０００７】
また、足場等の単管サポートを支持する支持金具、特にＨ型鋼に対して水平方向、あるいは垂直方向に自在に支持できる支持金具において、単管サポートの支持方向を換える際に回動する係止片が外圧により変形しない、あるいは多少変形しても回動に支障がなく、Ｈ型鋼に対して水平方向、あるいは垂直方向に確実に単管サポートを支持することができる「構築用単管サポートの支持金具」（特許文献３）が提案され、公知技術となっている。具体的には、上腕部先端に傾斜面を形成すると共に、背面を少なくとも一か所連結し、下腕部に締付部を付設した中空略コの字型の支持金具本体と、先端を該支持金具本体の上腕部先端の傾斜面とほぼ同角度の傾斜状に形成すると共に、他端にクランプ金具を付設した係止片とからなり、上記係止片は該支持金具本体に内設した主軸に沿ってほぼ９０°回動可能に軸着してなる提案である。
【０００８】
しかしながら、かかる「構築用単管サポートの支持金具」の提案は、連結固定される構造体の幅寸法が中空略コの字型の支持金具本体のストローク内に限定されることによって、建築構造物において連結固定される箇所が限定されるといった問題があるものだった。
【０００９】
本出願人は、従来の単管支持金具における単管をクランプする連結固定手段に着目し、複数の対向する単管支持金具を相互に作用させることで足場全体を安定且つ確実に固定することができないものかという着想の下、建築構造物の一部に当接することで、組み立てられた足場パイプ全体を安定的に設置固定することができる単管支持金具を開発し、本発明にかかる「単管支持金具」の提案に至るものである。
【先行技術文献】
【特許文献】
【００１０】
【特許文献１】特開２０１４−１４１７８１号公報
【特許文献２】特開２００６−２１９８２３号公報
【特許文献２】実開平５−６９２３５号公報
【発明の概要】
【発明が解決しようとする課題】
【００１１】
本発明は、上記問題点を鑑み、建築構造物の一部に当接させることで、組み立てられた足場パイプ全体を安定的に設置固定することが可能な単管支持金具を提供することを課題とする。
【課題を解決するための手段】
【００１２】
上記課題を解決するため、本発明は、建築構造物の一部に当接して組み立てられた足場パイプ全体を安定的に設置固定する単管支持金具であって、該単管支持金具は、足場パイプを構成する単管の外筒部を狭持するクランプ爪の一側面に当接盤が装備されたＬ字型のブランク受け部が単管の軸方向に対して任意の角度を有して設けられて成る手段を採る。
【００１３】
また、本発明は、前記ブランク受け部に螺合によって延伸するアジャストジャッキが備えられると共に、前記当接盤が該アジャストジャッキの先端に装備されて成る手段を採る。
【００１４】
さらに、本発明は、前記ブランク受け部が、前記単管支持金具のクランプ爪の一側面に回動軸支手段を介して回動可能に設けられている手段を採る。
【００１５】
またさらに、本発明は、前記ブランク受け部の角面に、補強リブが設けられている手段を採る。
【００１６】
さらにまた、本発明は、前記当接盤に、先端方向へ延伸する付勢手段が設けられている手段を採る。
【００１７】
そしてまた、本発明は、前記当接盤が、ユニバーサルジョイントを介して装備されている手段を採る。
【発明の効果】
【００１８】
本発明にかかる単管支持金具によれば、複数の対向する単管支持金具を建築構造物に連結固定させることで、組み立てられた足場パイプ全体を安定且つ確実に設置固定することができる、といった優れた効果を奏する。
【００１９】
また、本発明にかかる単管支持金具によれば、複数の対向する単管支持金具によって連結固定する手段を採用していることで、連結固定する建築構造物の構造や形状を問うことなく、安定的に設置固定できる、といった優れた効果を奏する。
【００２０】
さらに、本発明にかかる単管支持金具によれば、Ｌ字型のブランク受け部が、単管支持金具のクランプ爪の一側面に回動軸支手段を介して回動可能に設けられていることによって、組み立てられる足場の連結固定する箇所が限定されることなく、足場パイプ全体を安定的且つ確実に設置固定することができる、といった優れた効果を奏する。
【００２１】
またさらに、本発明にかかる単管支持金具によれば、Ｌ字型のブランク受け部の角面に、補強リブが設けられていることによって、足場パイプ全体に強風や地震などによる想定外の外圧変形荷重がかかったとしても、単管支持金具の変形強度が保たれる、といった優れた効果を奏する。
【００２２】
さらにまた、本発明にかかる単管支持金具によれば、当接盤に先端方向へ延伸する付勢手段が設けられていることによって、強風や地震および経時変化などによるガタ（隙間）が発生しても、足場パイプ全体の連結固定強度が保たれる、といった優れた効果を奏する。
【００２３】
そしてまた、本発明にかかる単管支持金具によれば、当接盤が、ユニバーサルジョイントを介して装備されていることによって、当接する建築構造体の表面形態に合わせて安定的に設置固定可能である、といった優れた効果を奏する。
【図面の簡単な説明】
【００２４】
【図１】本発明にかかる単管支持金具の実施形態を示す説明図である。（実施例１）
【図２】本発明にかかる単管支持金具の実施形態を示す説明図である。（実施例１）
【図３】本発明にかかる単管支持金具の使用状態を示す説明図である。（実施例１）
【図４】本発明にかかる単管支持金具の他の実施形態を示す説明図である。（実施例２）
【図５】本発明にかかる単管支持金具の他の実施形態を示す説明図である。（実施例３）
【図６】本発明にかかる単管支持金具の他の実施形態を示す説明図である。（実施例４）
【図７】本発明にかかる単管支持金具の他の実施形態を示す説明図である。（実施例５）
【発明を実施するための形態】
【００２５】
本発明にかかる単管支持金具１０は、建築構造物Ｋの一部に当接して組み立てられた足場パイプＰ全体を安定的に設置固定する手段を採ったことを最大の特徴とする。
以下、本発明の実施形態を、図面に基づいて説明する。
【００２６】
尚、本発明の単管支持金具１０は、以下に述べる実施例に限定されるものではなく、本発明の技術的思想の範囲内、すなわち同一の作用効果を発揮できる形状や寸法等の範囲内で、適宜変更することができる。
【実施例１】
【００２７】
図1は、本発明にかかる単管支持金具１０の実施形態を示す説明図である。
本実施形態にかかる単管支持金具１０は、建築構造物Ｋの一部に当接して組み立てられた足場パイプＰ全体を安定的に設置固定する単管支持金具１０であって、該単管支持金具１０は、足場パイプＰを構成する単管の外筒部を狭持するクランプ爪２０の一側面に当接盤２３が装備されたＬ字型のブランク受け部２１が単管の軸方向に対して任意の角度を有して設けられた構造となっている。
【００２８】
クランプ爪２０は、螺合による締め付け手段と回動による狭持手段を有して、単管の外筒部を狭持するクランプ構造で形成される。
【００２９】
ブランク受け部２１は、Ｌ字型のブランク形状を有し、単管の軸方向に対して任意の角度を有してクランプ爪２０の一側面に設けられている。また、ブランク受け部２１には、当接盤２３が装備されている。
【００３０】
当接盤２３は、Ｌ字型のブランク受け部２１に装備されるもので、該ブランク受け部２１におけるクランプ爪２０との設置面と異なる面側に装備される。該当接盤２３の形状について、図面では円形状とした場合について示しているが、建築構造物Ｋに安定的に当接する形状を有していれば、その形状について特に限定するものではなく、面全体を被覆する略方形状とすることなども考え得る。該当接盤２３の表面には、緩衝材が貼付されたり、あるいは、滑り止め加工が施されるなどして、建築構造物Ｋの表面（外壁面）を保護しつつ当接状態を確保する役目を果たす。
【００３１】
かかる当接盤２３について、アジャストジャッキ２２の先端に装備する構造が考え得る。図２は、該当接盤２３をアジャストジャッキ２２の先端に装備した場合の実施形態を示す説明図であり、（ａ）及び（ｂ）は、該構造を採用した場合の対向する単管支持金具１０を示す全体斜視図である。
すなわち、該構造を採用した単管支持金具１０は、ブランク受け部２１に螺合によって延伸するアジャストジャッキ２２が備えられると共に、該アジャストジャッキ２２の先端に当接盤２３が装備された構造となっている。
【００３２】
ブランク受け部２１には、クランプ爪２０との設置面と異なる面側に、螺合によって延伸するアジャストジャッキ２２が備えられている。
【００３３】
アジャストジャッキ２２は、ブランク受け部２１に備えられるもので、ネジの螺合によって単管の軸方向に対して任意の角度に延伸する機能を備え、例えば蝶ボルトのねじ込みによって延伸量が任意に調整される。そして、アジャストジャッキ２２の先端には、当接盤２３が装備されている。
【００３４】
以上で構成される単管支持金具１０の使用態様について、図３に示す。すなわち、図３は、本実施形態にかかる単管支持金具１０の使用状態を示す説明図であり、（ａ）は該単管支持金具１０を垂直状態で使用する状態を示す説明図である。
建築構造物Ｋの一部が水平に突出する庇や屋根、梁に直接連結固定して、足場パイプＰ全体を安定且つ確実に設置固定することができる。
尚、図面では、上方及び下方の単管支持金具１０について、ブランク受け部２１に直接当接盤２３が装備されたタイプ並びにブランク受け部２１にアジャストジャッキ２２を備えたタイプの夫々異なるタイプの単管支持金具１０を使用した場合について示しているが、何れのタイプの単管支持金具１０を何れの側に使用するか、その組み合わせ態様については、使用現場の状況に応じて任意に決定されるものであって、両方に同タイプの単管支持金具１０を使用する態様も当然に考え得る。
【００３５】
図３（ｂ）は、本実施形態にかかる単管支持金具１０を水平状態で使用する状態を示す説明図である。
建築構造物Ｋの一部が垂直に突出する基礎や塀、凹凸部に直接連結固定して、足場パイプＰ全体を安定且つ確実に設置固定することができる。
尚、図面では、左右の単管支持金具１０について、ブランク受け部２１に直接当接盤２３が装備されたタイプ並びにブランク受け部２１にアジャストジャッキ２２を備えたタイプの夫々異なるタイプの単管支持金具１０を使用した場合について示しているが、上記同様、何れのタイプの単管支持金具１０を何れの側に使用するか、その組み合わせ態様については、使用現場の状況に応じて任意に決定されるものであって、両方に同タイプの単管支持金具１０を使用する態様も当然に考え得る。
【００３６】
以上で構成される単管支持金具１０は、複数の対向する単管支持金具１０によって建築構造物Ｋに連結固定させることで、組み立てられた足場パイプＰ全体を安定且つ確実に設置固定することができると共に、連結固定する建築構造物Ｋの構造や形状を問うことなく安定的に設置固定することが可能である。そして、工事中の建築構造物Ｋのあらゆる箇所に任意に連結固定することができることから、足場パイプＰの接地箇所・設置場所を選ばず、しかも強風や地震による足場パイプＰの倒壊事故を未然に防ぐことも可能にする。
【実施例２】
【００３７】
本発明にかかる単管支持金具１０の他の実施形態について、図４を用いて説明する。上記実施例１と同様の部分は省略する。
図４は、本発明にかかる単管支持金具１０の他の実施形態を示す説明図であり、（ａ）は該単管支持金具１０の実施形態を示す全体斜視図である。
【００３８】
本実施形態にかかる単管支持金具１０は、Ｌ字型のブランク受け部２１が、単管支持金具１０のクランプ爪２０の一側面に回動軸支手段２７を介して回動可能に設けられている手段を採る。
【００３９】
回動軸支手段２７は、その構造について特に限定するものではないが、例えばクランプ爪２０の一側面とブランク受け部２１とをプレスカシメ加工によって連結する手段や、ボルトとナットの締付により該ボルトのネジ部を回動軸として連結する手段が考え得る。尚、図示されてはいないが、ブランク受け部２１について、自由に回動可能な状態から任意の角度で回動をストップさせる回動固定手段を備える態様が好ましく、ボルトとナットの締付による回動軸支手段２７を採用することで、該ナットの締緩によって回動と固定を自在に操ることが可能である。
【００４０】
図４（ｂ）は、本実施形態にかかる単管支持金具１０の使用状態を示す説明図である。
建築構造物Ｋならびに既存の構造物の側面に当接させることで、建築構造物Ｋと組み立てられた足場パイプＰの間の隙間を確保しつつ、該足場パイプＰの安定を図ることができる。
【００４１】
以上で構成される本実施形態にかかる単管支持金具１０は、ブランク受け部２１を回動可能な構造とすることで、連結固定する構造物の形状や寸法幅、角度、位置などあらゆる状態に対応しつつ安定的かつ確実に設置固定することが可能となる。
【実施例３】
【００４２】
本発明にかかる単管支持金具１０の他の実施形態について、図５を用いて説明する。上記実施例１及び２と同様の部分は省略する。
図５は、本発明にかかる単管支持金具１０の他の実施形態を示す説明図である。
本実施形態にかかる単管支持金具１０は、Ｌ字型のブランク受け部２１の角面（折り曲げ面）に、補強リブ２４を設けた構成を採る。
【００４３】
補強リブ２４は、アジャストジャッキ２２の締め付け力などによって生じるＬ字型のブランク受け部２１の応力集中を分散する目的で形成されるもので、その具体的構造は、例えば図５（ａ）に示すような板材に対し鎹状に設ける構造や、図５（ｂ）に示すようなブランク受け部２１と補強リブ２４を一体成形した構造などが考え得る。
【００４４】
以上で構成される本実施形態にかかる単管支持金具１０は、Ｌ字型のブランク受け部２１の角面に、補強リブ２４が設けられていることによって、足場パイプＰ全体に強風や地震などによる想定外の外圧変形荷重がかかったとしても、単管支持金具１０の変形強度が保たれ、強度向上に資することとなる。
【実施例４】
【００４５】
本発明にかかる単管支持金具１０の他の実施形態について、図６を用いて説明する。上記実施例１乃至３と同様の部分は省略する。
図６は、本発明にかかる単管支持金具１０の他の実施形態を示す説明図である。
本実施形態にかかる単管支持金具１０は、当接盤２３に、先端方向に延伸する付勢手段２５が設けられた構造を採用する。
【００４６】
付勢手段２５の具体的構造については、特に限定はないが、例えば図示の様に、コイルスプリング２５ａを使用してアジャストジャッキ２２を単管の軸方向に付勢させる構造とすることが考え得る。
尚、当接盤２３の接続手段において、当接盤２３が蝶ボルト（アジャストジャッキ２２）の先端とガタがある構造（前後に若干遊動可能な構造，図示参照）とすることで、付勢手段２５をより有効に作用させることができる。
【００４７】
以上で構成される本実施形態にかかる単管支持金具１０は、強風や地震などや経時変化によるガタ（隙間）が発生しても、足場パイプＰ全体の設置固定強度が保たれることとなる。
【実施例５】
【００４８】
本発明にかかる単管支持金具１０の他の実施形態について、図７を用いて説明する。上記実施例１乃至４と同様の部分は省略する。
図７は、本発明にかかる単管支持金具１０の他の実施形態を示す説明図である。
本実施形態にかかる単管支持金具１０は、当接盤２３が、ユニバーサルジョイント２６を介して装備される手段を採用する。
【００４９】
ユニバーサルジョイント２６は、ブランク受け部２１若しくはアジャストジャッキ２２と当接盤２３の中間に設けられるもので、当接盤２３がブランク受け部２１若しくはアジャストジャッキ２２に対してフレシキブルに傾いて、当接対象（建築構造物Ｋ）に対し安定的に当接することを可能とするものである。
【００５０】
以上で構成される本実施形態にかかる単管支持金具１０は、当接盤２３がユニバーサルジョイント２６を介して装備されていることで、当接する建築構造物Ｋの表面形状に合わせて当接盤２３が追従して安定的に設置固定されることとなる。
【産業上の利用可能性】
【００５１】
本発明にかかる単管支持金具は、建築構造物における足場パイプの設置が困難な箇所であっても設置可能にすると共に、強風や地震による予想外の気象条件に対して足場パイプ全体を安定的に設置固定することができることから、本発明の産業上の利用可能性は極めて大であるものと思料する。
【符号の説明】
【００５２】
１０    単管支持金具
２０    クランプ爪
２１    ブランク受け部
２２    アジャストジャッキ
２３    当接盤
２４    補強リブ
２５    付勢手段
２５ａ  コイルスプリング
２６    ユニバーサルジョイント
２７    回動軸支手段
Ｐ    足場パイプ
Ｋ    建築構造物
【図１】
2018193728.tif 000003
【図２】
2018193728.tif 000004
【図３】
2018193728.tif 000005
【図４】
2018193728.tif 000006
【図５】
2018193728.tif 000007
【図６】
2018193728.tif 000008
【図７】
2018193728.tif 000009